(57)【特許請求の範囲】
【請求項１】
天井面に配設されたダクトを収納するダクト収納溝を天面に有し下面に反射板を有する器具本体と、前記ダクト収納溝に複数設けられて前記ダクトに電気的機械的に接続する操作部付きプラグとを備え、前記プラグの前記操作部は前記器具本体を貫通して前記器具本体の下面に突出するように設けられ、前記反射板は前記操作部を覆うダクト用照明器具。
【請求項２】
前記器具本体の天面に天井面に当接する弾性部材を設けた請求項1記載のダクト用照明器具。
【請求項３】
前記器具本体は、前記ダクト収納溝の側部近傍に安定器を配置した請求項1記載のダクト用照明器具。
【請求項４】
天井面に配設されたダクトを収納するダクト収納溝を天面に有する器具本体と、前記ダクト収納溝に複数設けられて前記ダクトに電気的機械的に接続する操作部付きプラグとを備え、
前記器具本体は、ダクト収納溝の両側に重量部品を収納し天井面に当接する突出部を設け、
前記プラグは、前記器具本体の前記ダクトに沿う方向の両端部にそれぞれ設け、前記操作部を前記器具本体の両端部の側方外方に突出するように設けたダクト用照明器具。
【請求項５】
天井面に配設されたダクトを収納するダクト収納溝を天面に有する器具本体と、前記ダクト収納溝に複数設けられて前記ダクトに電気的機械的に接続する操作部付きプラグとを備え、
前記器具本体が前記ダクトの長手方向に回動可能となるように、前記プラグの少なくとも一方が前記ダクトの長手方向に直角な水平軸により前記器具本体に軸支され、
前記プラグは、前記器具本体の前記ダクトに沿う方向の両端部にそれぞれ設け、前記操作部を前記器具本体の両端部の側方外方に突出するように設けたダクト用照明器具。
【請求項６】
前記プラグの少なくとも１つが給電用電気接続部を有し、前記プラグの少なくとも他の１つがアース接続部を有する請求項１記載のダクト用照明器具。
【請求項７】
前記ダクト収納溝は前記ダクトを抱持する突起を有する請求項1記載のダクト用照明器具。
【発明の詳細な説明】
【０００１】
【発明の属する技術分野】
この発明は、ダクトに取付け可能なダクト用照明器具に関するものである。
【０００２】
【従来の技術】
第１の従来例を図２２に示す。すなわち、この照明器具は、アーム１００の上端にダクト１０１に接続するプラグ１０２を設け、アーム１００の下端に灯具１０３を設けたスポットライトである。
第２の従来例を図２３に示す。すなわち、この照明器具は、蛍光灯器具本体１０４の上面にプラグ１０２を設け、プラグ１０２をダクト１０１に接続している。１０５はプラグ１０２を操作するレバーであり、器具本体１０４の側面に突出している。１０７は天井である。
【０００３】
【発明が解決しようとする課題】
しかし、第１の従来例はアーム１００を介しているため、灯具１０３に外力が加わるとプラグ１０２にその応力がかかり、外れやすくなる欠点があった。
第２の従来例は、操作部１０５が器具本体１０４の側面からでているため、器具幅Ｗが制限され、また器具本体１０４に外力が加わるとプラグ１０２に応力がかかる。また多灯用の照明器具を取付けることが容易でない。すなわちダクト１０１に平行に器具を設ける場合、ダクト１０１の本数が多くなり、ダクト１０１に直角に器具を設けるときは２本のダクト１０１を平行に設けねばならず施工が困難である。
【０００４】
したがって、この発明の目的は、プラグにかかる応力を低減できるとともに、操作部によって器具幅が制限されず、多灯用にも適用でき、さらに一見天井直付照明器具としてみえるダクト用照明器具を提供することである。
【０００５】
【課題を解決するための手段】
【０００７】
請求項１記載のダクト用照明器具は、天井面に配設されたダクトを収納するダクト収納溝を天面に有し下面に反射板を有する器具本体と、前記ダクト収納溝に複数設けられて前記ダクトに電気的機械的に接続する操作部付きプラグとを備え、前記プラグの前記操作部は前記器具本体を貫通して前記器具本体の下面に突出するように設けられ、前記反射板は前記操作部を覆うものである。
請求項１記載のダクト用照明器具によれば、ダクト収納溝を器具本体の天面に有するため、一般の天井直付け照明器具と同イメージで使用でき、スポットなどとの併用、増設や撤去が容易になり、同じ配線設備で行なえる。またダクトの側面とダクト収納溝の内側面との間の距離が短くなり、プラグにかかる応力を低減できるとともに、操作部によって器具幅が制限されないので、器具幅を広げることにより多灯用にも適用でき、主照明としての光量を確保できる。
さらに反射板を外してプラグの操作部を器具本体の下方から行える。
【０００８】
請求項２記載のダクト用照明器具は、請求項１において、前記器具本体の天面に天井面に当接する弾性部材を設けたものである。
請求項２記載のダクト用照明器具によれば、請求項１と同様な効果のほか、幅広い器具の傾きを低減でき、天井面への保護ができ、変色やきずを防止することができる。
請求項３記載のダクト用照明器具は、請求項１において、前記器具本体が、前記ダクト収納溝の側部近傍に安定器を配置したものである。
【０００９】
請求項３記載のダクト用照明器具によれば、請求項１と同様な効果のほか、プラグにかかる応力をより一層少なくでき安全性を高められるとともに、重量のアンバランスによる器具の傾きを極力抑えられる。
請求項４記載のダクト用照明器具は、天井面に配設されたダクトを収納するダクト収納溝を天面に有する器具本体と、前記ダクト収納溝に複数設けられて前記ダクトに電気的機械的に接続する操作部付きプラグとを備え、
前記器具本体は、ダクト収納溝の両側に重量部品を収納し天井面に当接する突出部を設け、
前記プラグは、前記器具本体の前記ダクトに沿う方向の両端部にそれぞれ設け、前記操作部を前記器具本体の両端部の側方外方に突出するように設けたものである。
【００１０】
請求項４記載のダクト用照明器具によれば、ダクト収納溝を器具本体の天面に有するため、一般の天井直付け照明器具と同イメージで使用でき、スポットなどとの併用、増設や撤去が容易になり、同じ配線設備で行なえる。またダクトの側面とダクト収納溝の内側面との間の距離が短くなり、プラグにかかる応力を低減できるとともに、操作部によって器具幅が制限されないので、器具幅を広げることにより多灯用にも適用でき、主照明としての光量を確保できる。
また、前記器具本体の前記ダクトに沿う方向の両端部にそれぞれ前記プラグを設け、前記操作部を前記器具本体の両端部の側方外方に突出するように設けたため、部品を着脱することなく器具の着脱が行なえる。
さらに、ダクト収納溝の両側に重量部品を収納し天井面に当接する突出部を設けたため、プラグにかかる応力をより一層少なくでき安全性を高められるとともに、重量のアンバランスによる器具の傾きを極力抑えられ、また突出部により器具本体と天井面との間にすき間があるため、重量部品の熱を器具外に逃しやすくなる。
請求項５記載のダクト用照明器具は、天井面に配設されたダクトを収納するダクト収納溝を天面に有する器具本体と、前記ダクト収納溝に複数設けられて前記ダクトに電気的機械的に接続する操作部付きプラグとを備え、
前記器具本体が前記ダクトの長手方向に回動可能となるように、前記プラグの少なくとも一方が前記ダクトの長手方向に直角な水平軸により前記器具本体に軸支され、
前記プラグは、前記器具本体の前記ダクトに沿う方向の両端部にそれぞれ設け、前記操作部を前記器具本体の両端部の側方外方に突出するように設けたものである。
請求項５記載のダクト用照明器具によれば、ダクト収納溝を器具本体の天面に有するため、一般の天井直付け照明器具と同イメージで使用でき、スポットなどとの併用、増設や撤去が容易になり、同じ配線設備で行なえる。またダクトの側面とダクト収納溝の内側面との間の距離が短くなり、プラグにかかる応力を低減できるとともに、操作部によって器具幅が制限されないので、器具幅を広げることにより多灯用にも適用でき、主照明としての光量を確保できる。
また、前記器具本体の前記ダクトに沿う方向の両端部にそれぞれ前記プラグを設け、前記操作部を前記器具本体の両端部の側方外方に突出するように設けたため、部品を着脱することなく器具の着脱が行なえる。
さらに、プラグの少なくとも一方を回動可能に前記器具本体に取付けているため、プラグの一方を接続すると器具本体が傾斜姿勢または垂直姿勢に回動するので、器具本体をもつ手を離しても、器具本体が変形することがなく、プラグにかかる応力を少なくすることができる。
【００１１】
請求項６記載のダクト用照明器具は、請求項１において、前記プラグの少なくとも１つが給電用電気接続部を有し、前記プラグの少なくとも他の１つがアース接続部を有するものである。
請求項６記載のダクト用照明器具によれば、請求項１と同様な効果のほか、小型で絶縁距離を確保できる。
【００１２】
請求項７記載のダクト用照明器具は、請求項１において、前記ダクト収納溝は前記ダクトを抱持する突起を有するものである。
請求項７記載のダクト用照明器具によれば、請求項１と同様の効果のほか、突起でダクトを抱持するためプラグへの応力がかかりにくく、操作時および衝撃時の器具の重心ずれに対して強度を確保でき、多灯用の器具が取付けでき、かつ器具の傾きを防止できる。
【００１４】
【発明の実施の形態】
この発明の第１の実施の形態を図１から図３により説明する。すなわち、この照明器具は、器具本体１と、プラグ２とを有する。
器具本体１は、天井面３に配設されたダクト４に収納するダクト収納溝５を天面に有する。ダクト４は、断面略逆Ｕ字形で内側面に導体を設けている。また実施の形態の器具本体１は２本の直管蛍光ランプ６、７を点灯するものであり、ダクト収納溝５は天面の中央部に直管蛍光ランプ６、７に平行に形成されている。
【００１５】
プラグ２は操作部８付きであり、ダクト収納溝５に複数設けられてダクト４に電気的機械的に接続する。プラグ２の操作部８はダクト４に略直交する水平方向を除く方向に設けている。実施の形態では器具本体１のダクト４に沿う方向の両端部にそれぞれプラグ２を設け、操作部８を器具本体１の両端部の側方外方に突出するように設けている。またプラグ２は操作部８が回転式レバーであり、操作部８に連動して導体刃１１がダクト４の導体に接触し、かつ取付片１２がダクト４に係止する。その構成は公知のものを適用しているので詳細を省略する。９は反射板である。
【００１６】
この実施の形態によれば、ダクト収納溝５を器具本体１の天面に有するため、一般の天井直付け照明器具と同イメージで使用でき、スポットなどとの併用、増設や撤去が容易になり、同じ配線設備で行なえる。またダクト４の側面とダクト収納溝５の内側面との間の距離が短くなり、プラグ２にかかる応力を低減できるとともに、操作部８によって器具幅が制限されないので、器具幅を広げることにより多灯用にも適用でき、主照明としての光量を確保できる。
【００１７】
また器具本体１のダクト４に沿う方向の両端部にそれぞれプラグ２を設け、操作部８を器具本体１の両端部の側方外方に突出するように設けたため、部品を着脱することなく器具の着脱が行なえ、そのまま使用状態とすることができる。
したがって照明器具は、幅が広いものや長い器具の構成に有効である。
この発明の第２の実施の形態を図４および図５に示す。すなわち、第１の実施の形態の器具本体１が２本の直管蛍光ランプ６、７を設けたのに対して、４本のＵ字形ランプ１４、１５または８本の短い直管ランプを複数本並設したものである。１３は器具本体１の両側部に配設した安定器である。
【００１８】
この照明器具は、一対のプラグ２をダクト４に沿う方向の両端部に配置することで器具幅に規制を受けないので、幅の広い器具本体１を使用状態のまま取付け、天井直付け器具と同じイメージで使用することができる。その他は第１の実施の形態と同様である。
この発明の第３の実施の形態を図６に示す。すなわち、これは器具本体１のダクト４に沿う方向の両端部にそれぞれプラグ２を設け、操作部８を器具本体１の下方に向けて突出するように設けている。実施の形態では、プラグ２の操作部８の操作を下方から行なえるように、例えば図６のようにプラグ２の操作部８を反射板９などで覆われる部分に配置し、取付けの際は反射板９を外してダクト４に器具本体１を合わせ、プラグ２の操作部８を回動操作をさせる。
【００１９】
なお、図６は操作部８がダイヤル式であるが、レバー式でもよい。
その他は、第１の実施の形態と同様である。
この発明の第４の実施の形態を図７に示す。すなわち、第１の実施の形態において、器具本体１の天面に天井面３に弾接する例えばパッキン、または板ばねやコイルばねのばねのような弾性部材２５を１または複数介在するように設けている。
【００２０】
ダクト４の幅よりも十分に幅広い器具の場合、ほんの少しの傾きが天井面３との比較で傾きが目立ってしまうが、弾性部材２５を介在することによりダクト４の取付けに支障なく機械的にクリアランスをなくせ、傾きを低減することができる。
弾性部材２５はパッキンなどの熱伝導率の悪く、かつ鋭角部のないものを用いると、天井面３への保護ができ、変色やきずを防止することができる。
【００２１】
その他は、第１の実施の形態と同様である。
この発明の第５の実施の形態を図８に示す。すなわち、これは第１の実施の形態において、ダクト収納溝５の側部近傍に器具部品のうち重量の大きい重量部品１６を配置したものである。実施の形態の重量部品１６は点灯装置（安定器）であり、これにはインバータ、銅鉄バラスト、ダウントランスなどがあり、いずれも重量がある。
【００２２】
図８のようにダクト４に取付ける器具で通常取付部分の左右の構成部品はバランスがとれているが、器具の幅が広く容易に取付部に力が加わってしまう器具において、点灯装置など照明器具の重量部品であるものをダクト４の側面近傍に配置することにより、器具本体１の傾きやプラグ２の破損につながる力が加わることを極力抑えることができ、強度を保持することができる。
【００２３】
この点従来は、器具本体１がプラグ２よりも下方に位置するようなもののみであったため、ダクト４に取付けられる照明器具で蛍光灯器具の点灯装置など重量部品が必要なものを、プラグ２にできるだけ力を掛けずに取付けられることが必要であった。また左右対称に取付けできない部品を有する場合やおよび部品を左右対称に取付けできない構成である器具の傾きを抑えることが必要であった。
【００２４】
この実施の形態によれば、器具の重心近くでプラグ２が荷重をうけるので、プラグ２にかかる応力をより一層少なくでき安全性を高められるとともに、重量のアンバランスによる器具の傾きを極力抑えられる。
その他は、第１の実施の形態または第２の実施の形態と同様である。
この発明の第６の実施の形態を図９に示す。すなわち、これは第５の実施の形態において、器具本体１の天面の略中央部、すなわちダクト収納溝５の両側および重量部品１６を収納する部分、を天井面３に当接するように器具本体１に突設して突出部１７を設け、それよりも外側の部分は天井面３との間に寸法ｈ１の隙間Ｈ１が生じるようにしている。
【００２５】
重量部品１６が安定器など温度上昇するものでは、第５の実施の形態では安定器が温度上昇しすぎる場合がある。この場合、天井面３との間に寸法ｈ１の隙間Ｈ１があるので器具外に熱を逃すことが容易になる。ただし、天井直付器具と同イメージ器具ではなくなるが側端部付近の器具高さｈ2 が低くなり、器具の薄さ感を与えられる。なお取付部となるプラグ２から離れた所が軽量となるのでプラグ２に負荷がかからない。また隙間Ｈ１に例えばアルミニウムの波板をおいて安定器の熱を放熱させることも可能である。また温度条件の悪い部品を中央におきながら放熱できる利点もある。
【００２６】
その他は、第４の実施の形態と同様である。
この発明の第７の実施の形態を図１０に示す。すなわち、第５の実施の形態のダクト４の両側に位置する重量部品１６が、１灯用の安定器１６ａと２灯用の安定器１６ｂである場合であり、重量が異なるため、図１０で見て両端に安定器１６ａ、１６ｂを配置した場合、かなりバランスがずれてしまうが、図１０のようにダクト４の側面近傍に配置すればかなりバランスがよくなり、傾きが減り、プラグ２にかかる力を減らせる。また安定器１６ａ、１６ｂに対応して、３本のＵ字形ランプ１４、１５、１５′を器具本体１に取付けている。
【００２７】
その他は、第５の実施の形態と同様である。
この発明の第８の実施の形態を図１１に示す。すなわち、第５の実施の形態において、点灯装置を用いた重量部品１６が１台の場合であり、配置した灯具たとえばＵ字形ランプ１４と、その重量部品１６とをダクト４に関して反対側に配置し、重量部品１６をダクト４の側面近傍に設けることにより器具バランスをとっている。図１１では、Ｕ字形ランプ１４を有する灯具と重量部品１６とはダクト４に関してほぼ対称に位置している。
【００２８】
その他は、第５の実施の形態または第７の実施の形態と同様である。
この発明の第９の実施の形態を図１２から図１４に示す。すなわち、第１の実施の形態において、器具本体１のダクト４に沿う方向の両端部にそれぞれプラグ２ａ、２ｂを設け、プラグ２ａ、２ｂの少なくとも一方を回動可能に器具本体１に取付ける構成にしたものである。実施の形態では、両方のプラグ２ａ、２ｂを所定の範囲で回動可能に構成している。
【００２９】
図（ａ）が天井面３に対する正常な器具の取付状態であるのに対して、同図（ｂ）は片側のプラグ２ａのみダクト４に接続し取付けて他の片側の器具本体１を支持する手をゆるめたり少し下ろした状態である。この場合、器具本体１が図（ｂ）のように重力によって傾き、器具本体１が変形したりプラグ２に大きな力をかけることがないようにしている。
【００３０】
プラグ２ａ、２ｂは同構成である。プラグ２ａは図１３に示すように側面に取付用ねじ孔２６、２７を形成している。またダクト収納溝５に収納固定する略Ｕ字形で両端に外向き折曲片１８ａを形成した取付板１８にプラグ２ａを嵌合し、取付板１８の側板のねじ孔２６に整合する位置にねじ挿通孔１９を形成し、軸となるねじ２１を並座金またはスプリングワッシャを用いたワッシャ２３を通してねじ挿通孔１９に挿通しねじ孔２６にねじ込んで取付けている。またねじ挿通孔１９を中心としてねじ孔２６、２７の相互間隔を半径Ｌとする円弧状の長孔２０を取付板１８の側板に形成し、器具支持用ストッパとなるねじ２２をワッシャ２３と同構成のワッシャ２４に通し長孔２０に通してねじ孔２７にねじ込んでいる。
【００３１】
図１２（ａ）の姿勢でプラグ２ａをダクト４に接続し、プラグ２ｂ側の接続前に器具本体１のプラグ２ｂ側を支持する手を離すか緩めると、図１２（ｂ）のように器具本体１の重力により回動する。このとき、器具本体１はねじ２１を中心にねじ２２が長孔２０を移動して長孔２０の端部に係止する。その結果、プラグ２ａ、２ｂを２個１組で使用する器具において、片側のプラグ２ａのみ取付けて、もう片方のプラグ２ｂを取付けていない状態かどうかが容易にわかる恰好で落下につながらないような安全を図れる。また片側だけのプラグ２ａをダクト４に取付けた状態で器具本体１を持つ力をゆるめても器具本体１が上記のように回動して器具本体１が傾くので器具の変形が抑えられ、プラグ２ａを取付けている部分にかかる応力が減少する。またダクト４の変形など落下につながるような力がかかりにくくなる。
【００３２】
この点、従来のダクト４に取付けられる照明器具はプラグ１つの軽量・小型回路の器具、もしくは落下防止ワイヤを先に取付けて万が一の安全を考慮しただけのものであった。
なお、回動式のプラグ２ａ、２ｂはその一方のみでもよく、両方の場合はいずれの端部からも器具本体１をダクト４に接続できる。また器具本体１の回動により器具本体１の天面の端部が天井面３に当接しないように構成にしてもよい。ただし、器具本体１が天井面３に例え当たっても天井面３にきずが付かない程度ならば当たる構成でもよい。
【００３３】
この発明の第１０の実施の形態を図１５に示す。すなわち、これは第９の実施の形態の器具支持用ストッパとなるねじ２２を挿通する長孔２０を円弧状ではなく直線状にして取付板１８の底板のダクト方向に形成し、プラグ２ａのねじ孔２７（図示せず）をプラグ２ａの底面の長孔２０に整合する位置に形成している。したがって、図１２（ｂ）のような状態では、ねじ２１を中心に器具本体１が回動し、ねじ２２が長孔２０内を移動して長孔２０の端部に係止して器具本体１を支えることとなる。
【００３４】
ねじ２１その他の構成は、第９の実施の形態と同様である。
この発明の第１１の実施の形態を図１６に示す。第１０の実施の形態のねじ２２、長孔２０およびねじ孔２７を省略し、プラグ２ａの操作部８と反対側の端部にかぎ形の器具引掛部３０を垂下し、取付板１８（図示せず）の端部を器具引掛部３０内に位置している。したがって、取付板１８を取付た器具本体１は取付板１８の端部が器具引掛部３０の内面に係止するまでの範囲で図１２（ａ）の水平姿勢から、図１２（ｂ）のある傾斜姿勢をとることができる。
【００３５】
その他は、第１０の実施の形態と同様である。
なお、第９の実施の形態、第１０の実施の形態および第１１の実施の形態は、ねじ挿通孔１９を所定長さの直線状、折曲状または湾曲状のスリットにより形成してねじ２１がある範囲でスライド可能となるようにすることができる。この場合、器具本体１の回動時に天井面３に当たらないように構成することが可能になる。
【００３６】
この発明の第１２の実施の形態を図１７および図１８に示す。すなわち、上記した各実施の形態において、プラグ２ｃ、２ｄの少なくとも１つが給電用電気接続部３３を有し、プラグ２ｃ、２ｄの少なくとも他の１つがアース接続部３３を有するものである。実施の形態ではアース接続部３３を有するプラグ２ｄはアース接続部３３のみを有する構成であり、同様にプラグ２ｃは給電用電気接続部３３のみを有する構成である。
【００３７】
図１７のようなダクト用照明器具でプラグ２ｃ、２ｄを２個１組として使用する場合に、蛍光灯の器具などの二次電圧が高くアースが必要な器具のとき、例えば図１７のプラグ２ｃに図１８（ａ）のように給電用電気接続部３３のあるプラグを使用し、プラグ２ｄに図１８（ｂ）のようにアース接続部３４のあるプラグを使用している。このような構成にすることにより、プラグ２ｃ、２ｄの構成をシンプルにかつコンパクトな構成でも十分に相互の絶縁距離をとることができる。
【００３８】
図１８のプラグ２ｃ、２ｄは、栓刃を設けた給電用電気接続部３３またはアース接続部３４を有しかつ取付部４１を有する回転子４０と取付部３７を有する回転子５８がキヤ部５６、５７の噛み合わせにより結合しており、レバー式の操作部８により回転子４０が回転するとそれに連動して回転子５８が回転する構成であり、ダクト４に差込み回転によりダクト４に係止し、強度のある確実な取付けを可能にしている。そして、給電用電気接続部３３やアース接続部３４を取付ける回転子４０その他の部品は両プラグ２ｃ、２ｄに共通のもので導体（３３、３４）の部分のみの組み替えでプラグ２ｃ、２ｄが組立られる。
【００３９】
また、前記したようにプラグ２ｃ、２ｄは小型で絶縁距離を確保できるとともに、電源供給とアースを行なうプラグ２ａ、２ｂを同じ部品で導体材料のみの差で構成でき、取付操作力が固くなる部分を分散でき、片側のみ極端に固くなったりすることなく、操作しやすい。
この点従来は、１つのプラグで給電用接続部３３とアース接続部３４を有するもので、２個１組のプラグでは電源供給部を有するものと単なる機械的な取付けのクランプのみの構成であった。
【００４０】
またプラグ２ｄは、ダクト４のアース電路に接続されるアース接続部３４のみを電気接続部として有するものである。このプラグ２ｄによれば、給電用電気接続部３４をも有するものと比較して、小型軽量にでき、操作性がよく、しかも給電用接続部との絶縁距離を容易にとることができる。
この実施の形態の変形の形態として、共通の回転子４０を適用しているので、各プラグ２ｃ，２ｄともに給電用接続部３３とアース接続部３４を設けることが可能である。また機械的取付けをするクランプ部がないものにあっても、栓刃を有する給電用電気接続部３３やアース接続部３４を有する回転子４０に取付部４１が設けてあるため、強度がさほど必要ないものにあっては、給電用電気接続部３３およびアース接続部３４を有する回転子４０のみで十分である。
【００４１】
また実施の形態では導通部品のみの別でその他の構成を共通化して共用しているが、全く別構成にすることにより材料の削減などもでき、またアースの接続をプラグの本体ベースに直付接続することにより、アース接続部を器具本体に接触させ器具本体とプラグの取付けをするだけでアース接続ができて、プラグ取付をする部品などを共用したりすることもでき、接続作業などの工程が削減できる。
【００４２】
この発明の第１３の実施の形態を図１９から図２１に示す。すなわち、このダクト用照明器具は、天井面に配設されたダクト４を抱持する抱持部５０を天面に有する器具本体１と、抱持部５０に設けられてダクト４に接続するプラグ２とを備えている。
抱持部５０は器具本体１の天面のほぼ中央部に設けたダクト収納溝５と、ダクト収納溝５の内側面に設けた例えばだぼなどの突起５１からなっている。器具本体１のダクト収納溝５をダクト４に嵌め込むと、突起５１がダクト４の側面に近接または密接しダクト４を側面から抱持状態に接触する。またプラグ２によりダクト４に電気的機械的接続が行なわれる。
【００４３】
突起５１は器具本体１がダクト４の幅方向に傾くように器具本体１に力が加わった場合、ダクト４がその突起５１に押されつっぱる状態になり、プラグ２だけに力がかからなくなる。
ダクト４に取付けられる照明器具の重量が重いものや幅の広いものなど、プラグ２に大きな力がかかる場合、その照明器具のプラグの保護をする必要がある。
この実施の形態によれば、抱持部５０でダクト４を抱持するためプラグ２への応力がかかりにくく、操作時および衝撃時の器具の重心ずれに対して強度を確保でき、多灯用の器具の取付けが可能となり、かつ器具の傾きを防止できる。
【００４４】
具体的には、器具本体１の振れやランプ交換の際における強度の確保、器具取付時のガイド性、器具本体１の傾き防止、取付時の仮止め（重量器具の取付けの補助）、天井への密着感や薄形化などが達成できる。
また、１本のダクト４に多灯用の器具を取付けて主照明としての光量を確保するような場合でも、プラグ２のダクト４への取付部および電気接続部に力がかかりにくく、操作時、衝撃および器具の重心ずれに対して強度を確保し、器具の傾き防止して水平に保てる。
【００４５】
また器具をダクト４に挿入する際に突起５１に弾性があるものでダクト４へ近接および接触する部分を設けることによりガイド機能を得ることができ、また器具をダクト４に挿入させる力を押えられる。
なお、実施の形態の変形形態として、突起５１を板ばねなどのばねにより構成して、挿入時のクリアランスを十分にとることができ、ダクト４に加わる力の衝撃などを軽減することができる。またプラグ２は複数設けることができる。
【００４６】
また、この発明において、第９の実施の形態から第１２の実施の形態は相互の組合せが可能であり、その他の実施の形態でも部分的にあるいは全体的に相互に組合せることを妨げるものではない。
【００４７】
【発明の効果】
請求項１記載のダクト用照明器具によれば、ダクト収納溝を器具本体の天面に有するため、一般の天井直付け照明器具と同イメージで使用でき、スポットなどとの併用、増設や撤去が容易になり、同じ配線設備で行なえる。またダクトの側面とダクト収納溝の内側面との間の距離が短くなり、プラグにかかる応力を低減できるとともに、操作部によって器具幅が制限されないので、器具幅を広げることにより多灯用にも適用でき、主照明としての光量を確保できる。
【００４８】
さらに、反射板を外してプラグの操作部を器具本体の下方から行える。
請求項２記載のダクト用照明器具によれば、請求項１と同様な効果のほか、幅広い器具の傾きを低減でき、天井面への保護ができ、変色やきずを防止することができる。
請求項３記載のダクト用照明器具によれば、請求項１と同様な効果のほか、プラグにかかる応力をより一層少なくでき安全性を高められるとともに、重量のアンバランスによる器具の傾きを極力抑えられる。
【００４９】
請求項４記載のダクト用照明器具によれば、ダクト収納溝を器具本体の天面に有するため、一般の天井直付け照明器具と同イメージで使用でき、スポットなどとの併用、増設や撤去が容易になり、同じ配線設備で行なえる。またダクトの側面とダクト収納溝の内側面との間の距離が短くなり、プラグにかかる応力を低減できるとともに、操作部によって器具幅が制限されないので、器具幅を広げることにより多灯用にも適用でき、主照明としての光量を確保できる。
また、前記器具本体の前記ダクトに沿う方向の両端部にそれぞれ前記プラグを設け、前記操作部を前記器具本体の両端部の側方外方に突出するように設けたため、部品を着脱することなく器具の着脱が行なえる。
さらに、ダクト収納溝の両側に重量部品を収納し天井面に当接する突出部を設けたため、プラグにかかる応力をより一層少なくでき安全性を高められるとともに、重量のアンバランスによる器具の傾きを極力抑えられ、また突出部により器具本体と天井面との間にすき間があるため、重量部品の熱を器具外に逃しやすくなる。
請求項５記載のダクト用照明器具によれば、ダクト収納溝を器具本体の天面に有するため、一般の天井直付け照明器具と同イメージで使用でき、スポットなどとの併用、増設や撤去が容易になり、同じ配線設備で行なえる。またダクトの側面とダクト収納溝の内側面との間の距離が短くなり、プラグにかかる応力を低減できるとともに、操作部によって器具幅が制限されないので、器具幅を広げることにより多灯用にも適用でき、主照明としての光量を確保できる。
また、前記器具本体の前記ダクトに沿う方向の両端部にそれぞれ前記プラグを設け、前記操作部を前記器具本体の両端部の側方外方に突出するように設けたため、部品を着脱することなく器具の着脱が行なえる。
さらに、プラグの少なくとも一方を回動可能に前記器具本体に取付けているため、プラグの一方を接続すると器具本体が傾斜姿勢または垂直姿勢に回動するので、器具本体をもつ手を離しても、器具本体が変形することがなく、プラグにかかる応力を少なくすることができる。
【００５０】
請求項６記載のダクト用照明器具によれば、請求項１と同様な効果のほか、小型で絶縁距離を確保できる。
請求項７記載のダクト用照明器具によれば、請求項１と同様の効果のほか、突起でダクトを抱持するためプラグへの応力がかかりにくく、操作時および衝撃時の器具の重心ずれに対して強度を確保でき、多灯用の器具が取付けでき、かつ器具の傾きを防止できる。
【図面の簡単な説明】
【図１】この発明の第１の実施の形態の天井取付状態の側面図である。
【図２】そのダクト用照明器具の側面図である。
【図３】ダクト用照明器具を示し、（ａ）は平面図、（ｂ）はその正面図である。
【図４】第２の実施の形態の照明器具を示し、（ａ）は平面図、（ｂ）はその正面図ある。
【図５】そのダクト用照明器具の側面図である。
【図６】第３の実施の形態のダクト用照明器具の反射板を外した状態の斜視図である。
【図７】第４の実施の形態のダクト用照明器具を示し、（ａ）は天井取付状態の側面図、（ｂ）は器具本体の斜視図である。
【図８】第５の実施の形態の天井取付状態の側面図である。
【図９】第６の実施の形態の天井取付状態の側面図である。
【図１０】第７の実施の形態の天井取付状態の側面図である。
【図１１】第８の実施の形態の天井取付状態の側面図である。
【図１２】第９の実施の形態を示し、（ａ）は天井取付状態の正面図、（ｂ）は照明器具の一端部のみを取付けた状態の正面図である。
【図１３】一端部のプラグおよび取付板の分解斜視図である。
【図１４】その取付板の側面図である。
【図１５】第１０の実施の形態におけるプラグおよび取付板の分解斜視図である。
【図１６】第１１の実施の形態におけるプラグの斜視図である。
【図１７】第１２の実施の形態における照明器具の取付状態を示す正面図である。
【図１８】（ａ）はその一端のプラグの断面図、（ｂ）は他端のプラグの断面図である。
【図１９】第１３の実施の形態の側面図である。
【図２０】その部分拡大図である。
【図２１】その器具本体の部分斜視図である。
【図２２】第１の従来例の照明器具の取付状態の斜視図である。
【図２３】第２の従来例を示し、（ａ）は天井取付状態の側面図、（ｂ）はその一部破断正面図である。
【符号の説明】
１    器具本体
２    プラグ
３    天井面
４    ダクト
５    ダクト収納溝
６、７    直管蛍光ランプ
８    操作部
１６    重量部品
Ｈ１    隙間
１８    取付板
３３    給電用電気接続部
３４    アース接続部
５０    抱持部
【図１】
0003740837.tif 000002
【図２】
0003740837.tif 000003
【図３】
0003740837.tif 000004
【図４】
0003740837.tif 000005
【図５】
0003740837.tif 000006
【図６】
0003740837.tif 000007
【図７】
0003740837.tif 000008
【図８】
0003740837.tif 000009
【図９】
0003740837.tif 000010
【図１０】
0003740837.tif 000011
【図１１】
0003740837.tif 000012
【図１２】
0003740837.tif 000013
【図１３】
0003740837.tif 000014
【図１４】
0003740837.tif 000015
【図１５】
0003740837.tif 000016
【図１６】
0003740837.tif 000017
【図１７】
0003740837.tif 000018
【図１８】
0003740837.tif 000019
【図１９】
0003740837.tif 000020
【図２０】
0003740837.tif 000021
【図２１】
0003740837.tif 000022
【図２２】
0003740837.tif 000023
【図２３】
0003740837.tif 000024